(57)【要約】【課題】プラスチック製板状基板にでんぷん糊で表示物を貼り屋外においても表示物が剥がれることのない掲示方法、掲示板、および該プラスチック製板状基板を簡単に再使用できるリサイクルシステムを提供する。【解決手段】プラスチック製板状基板の表面に、プラスチック製板状基板に対する粘着力がセルロース系シートに対する粘着力未満である再剥離性両面粘着テープでクラフト紙などのセルロース系シートを貼り、該セルロース系シートの上にでんぷん糊で表示物を貼る掲示方法、掲示板、および該プラスチック製板状基板を簡単に再使用できるリサイクルシステムである。【選択図】図３
2010281987.tif 000002
【特許請求の範囲】
【請求項１】
プラスチック製板状基板の表面に下記再剥離性両面粘着テープでセルロース系シートを貼り、該セルロース系シートの上にでんぷん糊で表示物を貼る掲示方法。
再剥離性両面粘着テープ：プラスチック製板状基板に対する粘着力がセルロース系シートに対する粘着力未満である再剥離性両面粘着テープ
【請求項２】
前記プラスチック製板状基板の縁にセルロース系シートを重ねて枠で固定することを特徴とする請求項１記載の掲示方法。
【請求項３】
前記セルロース系シートがクラフト紙であることを特徴とする請求項１または２記載の掲示方法。
【請求項４】
前記プラスチック製板状基板が、プラスチック製の表面板と、裏面板の間に、中空層を設けて三層構造としたことを特徴とする請求項１〜３のいずれか１項に記載の掲示方法。
【請求項５】
前記プラスチック製板状基板が、２枚の熱可塑性樹脂製中空突起体シートからなる少なくとも１組の基材を含み、該基材は底部側が開口した中空錐台状の凸部が規則的に突設された中空突起体シートの凸部先端同士を突き合せた状態で熱融着してなることを特徴とする請求項１〜４のいずれか１項に記載の掲示方法。
【請求項６】
前記表示物が選挙ポスターであることを特徴とする請求項１〜５のいずれか１項に記載の掲示方法。
【請求項７】
前記プラスチック製板状基板に前記再剥離性両面粘着テープでセルロース系シートを貼った請求項１〜６のいずれか１項に記載の掲示方法に用いる表示物用掲示板。
【請求項８】
プラスチック製板状基板に下記再剥離性両面粘着テープでセルロース系シートを貼り、その上にでんぷん糊で表示物を貼った掲示板から、セルロース系シートを剥がして該プラスチック製板状基板をリサイクル使用するプラスチック製板状基板のリサイクルシステム。
再剥離性両面粘着テープ：プラスチック製板状基板に対する粘着力がセルロース系シートに対する粘着力未満である再剥離性両面粘着テープ
【請求項９】
請求項８記載のリサイクルシステムにおいて掲示板からセルロース系シートを剥がしたリサイクル使用可能なプラスチック製板状基板。
【発明の詳細な説明】
【技術分野】
【０００１】
本発明は、プラスチック製板状基板を用いる表示物の掲示方法、掲示板および該基板のリサイクルシステムに関する。詳しくは、プラスチック製板状基板にでんぷん糊で表示物を貼る掲示方法、該プラスチック製板状基板にセルロース系シートが貼られてなる掲示板、および該基板のリサイクルシステムに関する。
【背景技術】
【０００２】
選挙運動期間中に立候補者のポスターを貼付する掲示板として、通常、枠体の前面にベニヤ板を釘打ちにより固定し、必要に応じて、枠体の後面に脚体を取り付けたものが、広く使用されている。しかし、ベニヤ板を用いた掲示板は重く、かつ傷みやすく、繰り返し使用するには適しない。このベニヤ板の代替として、合成樹脂製の表面板と、裏面板の間に、中空層を設けて三層構造とした掲示板用板状体が提案されている（たとえば、特許文献１）。
【先行技術文献】
【特許文献】
【０００３】
【特許文献１】特開２００８−６５２７３号公報
【発明の開示】
【発明が解決しようとする課題】
【０００４】
しかしながら、通常選挙ポスターなどの表示物はでんぷん糊を用いて貼るが、合成樹脂板はでんぷん糊の付着が悪くポスターを貼っても屋外に置かれるとポスターが剥がれてしまうという問題がある。
本発明の目的は、プラスチック製板状基板にでんぷん糊で表示物を貼り屋外においても表示物が剥がれることのない掲示方法、掲示板、および該プラスチック製板状基板を簡単に再使用できるリサイクルシステムを提供することである。
【課題を解決するための手段】
【０００５】
本発明らは鋭意検討した結果、セルロース系シートを特定の再剥離性両面差異粘着テープで貼れば、セルロース系シートにでんぷん糊で表示物を貼ることができ、屋外に置いても表示物が剥がれることがなく、且つプラスチック製板状基板を簡単に再使用できることを見出し、本発明に到達した。
【０００６】
すなわち、請求項１の発明は、プラスチック製板状基板の表面に下記再剥離性両面粘着テープでセルロース系シートを貼り、該セルロース系シートの上にでんぷん糊で表示物を貼る掲示方法である。
再剥離性両面粘着テープ：プラスチック製板状基板に対する粘着力がセルロース系シートに対する粘着力未満である再剥離性両面粘着テープ
【０００７】
請求項１の発明によれば、プラスチック製板状基板にセルロース系シートが貼ってあるので、プラスチック製板状基板にでんぷん糊で表示物を貼ることができ、屋外に置いても表示物が剥がれることがない。また、再剥離性両面粘着テープのプラスチック製板状基板に対する粘着力がセルロース系シートに対する粘着力未満であるので、表示期間終了後に表示物の貼ってあるセルロース系シートを剥がせば、該粘着テープまたはその粘着剤がプラスチック製板状基板に残ることがないので、簡単にプラスチック製板状基板を元の状態に復元できる。そして、プラスチック製板状基板は、概して耐水性、耐候性が良いので繰り返し使用することができる。
【０００８】
請求項２の発明は、前記プラスチック製板状基板の縁にセルロース系シートを重ねて枠で固定することを特徴とする請求項１記載の掲示方法である。
【０００９】
請求項２の発明によれば、前記プラスチック製板状基板の縁にセルロース系シートを重ねて枠で固定するので、セルロース系シートはさらにしっかりとプラスチック製板状基板に固定され、屋外に置いても表示物が剥がれることがない。掲示期間が終了すれば枠をはずせば容易にセルロース系シートを剥がすことができる。
【００１０】
請求項３の発明は、セルロース系シートがクラフト紙であることを特徴とする請求項１または２記載の掲示方法である。
【００１１】
請求項３の発明によれば、クラフト紙は耐水性がよいので表示期間中屋外において雨が降ったとしても剥がれたり破れたりすることがなく、表示物を表示できる。
【００１２】
請求項４の発明は、前記プラスチック製板状基板が、プラスチック製の表面板と、裏面板の間に、中空層を設けて三層構造としたことを特徴とする請求項１〜３のいずれか１項に記載の掲示方法である。
【００１３】
請求項４の発明によれば、プラスチック製板状基板が、中空層を有する三層構造であるため、軽量でありながら、実用上十分な強度を有するとともに、且つ、直射日光や気温の変化などに基づく熱膨張や熱収縮を原因とする表面板の湾曲を三層構造が防止して、平面性を保持することができる。そして、プラスチック製板状基板は、概して耐候性、強度に優れるため繰り返し使用が可能となり、費用面でも有利な掲示板用基板となる。
【００１４】
請求項５の発明は、前記プラスチック製板状基板が、２枚の熱可塑性樹脂製中空突起体シートからなる少なくとも１組の基材を含み、該基材は底部側が開口した中空錐台状の凸部が規則的に突設された中空突起体シートの凸部先端同士を突き合せた状態で熱融着してなることを特徴とする請求項１〜４のいずれか１項に記載の掲示方法である。
【００１５】
請求項５の発明によれば、中空錐台状の凸部が規則的に突設されて熱融着されているので、あらゆる方向に強度が発現し方向性がなく基板が折れたり熱により変形することがなく、掲示板用基板として安定して平面を保つことができる。
【００１６】
請求項６の発明は、前記表示物が選挙ポスターであることを特徴とする請求項１〜５のいずれか１項に記載の掲示方法である。
【００１７】
請求項６の発明によれば、表示物である選挙ポスターが、でんぷん糊でセルロース系シートに貼られるので、掲示板が屋外におかれても選挙期間中ポスターが剥がれることなく掲示できる。表示終了後にセルロース系シートを剥がすと粘着テープまたはその粘着剤がプラスチック製板状基板に残ることなく、元のプラスチック製板状基板に簡単に復元でき、プラスチック製板状基板をリサイクル使用することができる。
【００１８】
請求項７の発明は、前記プラスチック製板状基板に前記再剥離性両面粘着テープでセルロース系シートを貼った請求項１〜６のいずれか１項に記載の掲示方法に用いる表示物用掲示板である。
【００１９】
請求項７の発明によれば、プラスチック製板状基板にでんぷん糊で表示物を貼り、屋外に置いても表示物が剥がれることがない。また、再剥離性両面粘着テープのプラスチック製板状基板に対する粘着力がセルロース系シートに対する粘着力未満であるので、表示期間終了後に表示物の貼ってあるセルロース系シートを剥がせば、該粘着テープがプラスチック製板状基板に残ることがなく、簡単にプラスチック製板状基板を元の状態に復元できる。そして、プラスチック製板状基板は、概して耐水性、耐候性が良いので繰り返し使用することができる。
【００２０】
請求項８の発明は、プラスチック製板状基板に下記再剥離性両面粘着テープでセルロース系シートを貼り、その上にでんぷん糊で表示物を貼った掲示板から、セルロース系シートを剥がして該プラスチック製板状基板をリサイクル使用するプラスチック製板状基板のリサイクルシステムである。
再剥離性両面粘着テープ：プラスチック製板状基板に対する粘着力がセルロース系シートに対する粘着力未満である再剥離性両面粘着テープ
【００２１】
請求項８の発明によれば、プラスチック製板状基板にでんぷん糊で表示物を貼り、屋外に置いても表示物が剥がれることがない。また、再剥離性両面粘着テープのプラスチック製板状基板に対する粘着力がセルロース系シートに対する粘着力未満であるので、表示期間終了後に表示物の貼ってあるセルロース系シートをはがせば、該粘着テープまたはその粘着剤がプラスチック製板状基板に残ることがないので、簡単にプラスチック製板状基板を元の状態に復元できる。そして、プラスチック製板状基板は、概して耐水性、耐候性が良いので繰り返し使用することができる。
【００２２】
請求項９の発明は、請求項８記載のリサイクルシステムにおいて掲示板からセルロース系シートを剥がしたリサイクル使用可能なプラスチック製板状基板である。
【００２３】
請求項９の発明によれば、表示終了後にセルロース系シートを剥がしたプラスチック製板状基板に粘着テープまたはその粘着剤が残らず、また印刷痕もないので、そのままプラスチック製板状基板をリサイクル使用することができる。
【発明の効果】
【００２４】
本発明のプラスチック製板状基板を用いる表示物の掲示方法および該基板のリサイクルシステムは下記の効果を奏する。
（１）プラスチック製板状基板にでんぷん糊で表示物を貼り、屋外に置いても表示物が剥がれることがない。
（２）再剥離性両面粘着テープのプラスチック製板状基板に対する粘着力がセルロース系シートに対する粘着力未満であるので、表示期間終了後に表示物の貼ってあるセルロース系シートを剥がせば、該粘着テープまたはその粘着剤がプラスチック製板状基板に残ることがないので、簡単にプラスチック製板状基板を元の状態に復元できる。そして、プラスチック製板状基板は、概して耐水性、耐候性が良いので繰り返し使用することができる。
【図面の簡単な説明】
【００２５】
【図１】本発明の一実施形態の中空突起体シートが熱融着したプラスチック製板状基板の断面図である。
【図２】本発明における一実施形態の縁枠の断面図である。
【図３】本発明の掲示板の一例を示す。
【発明を実施するための最良の形態】
【００２６】
以下、本発明の実施の形態を説明する。なお、本発明は、以下の実施の形態に限定されるものではない。本発明と同一および均等の範囲内において、以下の実施の形態に対して種々の変更を加えることが可能である。
【００２７】
本発明において、プラスチック製板状基板は、表示物を貼る土台となるもので、プラスチック製の平面状の板状基板であれば限定はないが、熱可塑性樹脂で作成されたものが経済的に有利であり好ましい。熱可塑性樹脂としては、たとえば、低密度ポリエチレン、高密度ポリエチレン、直鎖状低密度ポリエチレン、ホモポリプロピレン、ランダムポリプロピレン、ブロック状ポリプロピレンなどのポリオレフィン系樹脂およびこれらのコモノマー若しくはコモノマーと他のモノマーとの共重合体、ポリ塩化ビニル、ＡＢＳ、ＡＡＳ、ＡＥＳ、ポリスチレン、ポリエステル、ポリカーボネート、ポリアミド、ポリフッ化ビニリデン、ポリフェニレンサルファイド、ポリサルホン、ポリエーテルケトン及びこれらのコモノマー若しくはコモノマーと他のモノマーとの共重合体などが挙げられ、これらは単独で使用しても併用してもよい。これらの内で、経済面、成形性、耐水性などの特性とのバランスを考慮すると、ポリプロピレン系樹脂が特に好ましい。
【００２８】
また、剛性を高める目的で、これらの熱可塑性樹脂にフィラーを副材料として配合したものでも良い。副材料は、特に限定されるものではないが、経済面、成形性、取り扱い性などとのバランスを考慮すると、タルク、炭酸カルシウムなどが好ましい。また、酸化防止剤、紫外線吸収剤、帯電防止剤、抗菌剤、難燃剤、光安定剤、滑剤等を必要に応じて添加することができる。
【００２９】
プラスチック製板状基板の構造は、平面性を保つ１枚の板状であればよいが、好ましいのはプラスチック製の表面板と、裏面板の間に、中空層を設けて三層構造としたものである。中空層は、エアキャップシート、ハニカム構造体、波状板や中空突起体シートの熱融着物により形成することができ、表面板と裏面板の間に、上記中空層を介在させて、これら三者を、熱融着または接着剤により一体化し、板状基板が形成される。これらの表面板、裏面板、中空層は上記の熱可塑性樹脂で構成されるのが好ましい。
【００３０】
表面板と、裏面板の間に、中空層を設けたものは、軽量でありながら、実用上十分な強度を有するとともに、耐水性および耐候性に優れ、且つ三層構造であるため、直射日光や気温の変化などに基づく熱膨張や熱収縮を原因とする表面板の湾曲を防止して、平面性を保持することができる。さらに、プラスチック製の表面板を用いているため、耐候性、強度に優れるため繰り返し使用が可能となる。
【００３１】
上記プラスチック製板状基板の特に好ましいものは、２枚の熱可塑性樹脂製中空突起体シートからなる少なくとも１組の基材を含み、該基材は底部側が開口した中空錐台状の凸部が規則的に突設された中空突起体シートの凸部先端同士を突き合せた状態で熱融着してなるものである。
具体的には、熱可塑性樹脂シートに規則的に突設された中空錐台状の凸部同士を突き合せた状態で熱融着されたものであって、中空錘台状とは、中空円錐台状又は中空角錐台状をいい、これらのいずれであってもよい。
【００３２】
たとえば、図１に中空突起体シートが熱融着したプラスチック製板状基板１の一実施形態を示す。図１において、熱可塑性樹脂のシートからなる少なくとも２枚、好ましくは２枚の中空突起体シート２ａ、２ｂの凸部頂点同士を融着により貼り合わせて構成したシート基材２の両面に熱可塑性樹脂製表面材３ａ、３ｂを貼り合わせて構成したものである。このようなものは、国際出願ＷＯ２００３／０８０３２６号パンフレットに開示された中空構造板の製造方法によって製造することができ、「ツインコーン」（登録商標：宇部日東化成社製）の商品名で市販されている中空構造板が使用できる。
【００３３】
このプラスチック製板状基板は、上記シート基材における中空錐台状の凸部が規則的に突設されて熱融着されているので、あらゆる方向に強度が発現し、方向性がなく基板が折れたり熱により変形することがなく、掲示板用基板としてさらに安定して平面を保つことができる。
【００３４】
本発明におけるセルロース系シートは、でんぷん糊が接着するセルロース系のシートであれば特に限定はないが、紙、クラフト紙およびライナーボードなどが挙げられる。屋外で掲示する場合、表示物の表示期間中、雨や光に対する耐性を有する耐水紙が好ましいが、より好ましいのは、耐水性を有し且つ使用しやすいクラフト紙である。クラフト紙は市販品、たとえば、包装用のクラフト紙、筋入クラフト紙、糸入クラフト紙、ターポリン紙、ポリクロス紙、ポリラミクラフト紙、養生紙などが使用できる。
セルロース系シートはそのまま、もしくは着色されていてもよく、もしくはシルクスクリーン印刷などにより、タイトル、注意事項、ポスター掲示位置を示す枠などの情報が必要に応じて表示されていてもよい。
【００３５】
再剥離性両面粘着テープ（以後、単に粘着テープということがある）は、プラスチック製板状基板に対する粘着力がセルロース系シートに対する粘着力未満である再剥離性両面粘着テープである。粘着力は、粘着する相手方の対象基材の素材、表面構造、表面処理などによって異なる。通常、粘着テープに用いる粘着剤は概してセルロース系シートに対する方がプラスチックに対するよりも大きい粘着力を示すので、粘着テープの両面の粘着力が同じであっても、プラスチック製板状基板に対する粘着力がセルロース系シートに対する粘着力よりも小さくなる場合が多いと考えられる。また、対象基材の表面の構造によっても異なり、凹凸があると粘着剤の粘着力が低下することがあったり、セルロース系シートに表面コートがあると粘着性が低下することがある。このように粘着剤の種類と対象基材によって示される粘着力は異なる。粘着テープの両面の粘着剤が同じであるか異なるかは問題ではなく、粘着テープの粘着力が上記のことを満たせばよい。すなわち、市販の粘着テープを用いることができるが、上記の条件を満たすものであり、使用前にそのことを確認するのが好ましい。この条件を満たすことによって、セルロース系シートを掲示終了後にプラスチック製板状基板から剥がしても粘着テープまたはその粘着剤がプラスチック製板状基板に残ることがない。
粘着テープの粘着力は特に限定はないが、プラスチック製板状基板に対する粘着力が１．０Ｎ／ｃｍ以上あるのが、表示期間中しっかり粘着できるので好ましい。粘着力の差は少しでもあればよいが、その差が大きいほど好ましい。
【００３６】
でんぷん糊は、通常、紙や木などのセルロース基材に貼るような市販のものが使用できる。
【００３７】
本発明の表示物用掲示板は、上記の再剥離性両面粘着テープでセルロース系シートを貼ったものであるが、以下のようにして表示物を掲示できる。
【００３８】
まず、プラスチック製板状基板の大きさは使用目的に合わせて決めればよく限定はないが、たとえば、（９００〜１２００）ｍｍ×（１８００〜２４００）ｍｍの大きさが挙げられる。板厚も特に限定はないが、たとえば、５〜３０ｍｍである。この基板の片側表面に再剥離性両面粘着テープでセルロース系シートを貼る。この際に再剥離性両面粘着テープのプラスチック製板状基板に対する粘着力がセルロース系シートに対する粘着力未満であることを確認しておく。セルロース系シートを貼る面積は特に限定はなく、基板の全面または表示物が貼られる部分にのみ貼ってもよい。好ましくは基板の全面である。テープを貼る面積も限定はないが、セルロース系シートがプラスチック製板状基板にしっかりと保持されていればよく、全面に貼る必要はなく、コスト面からはできるだけ小さい面積とするのがよい。
【００３９】
また、該板状基材の側面が枠によって縁取られるのが好ましい。図２に縁枠（枠縁ともいう）の一例を示す。縁枠４が板状基板５の側面の表裏の両側をはさんで縁取っている。このときにセルロース系シート６が板状基板５と同時に縁枠４に挟まれて固定されている。この場合、セルロース系シート６は表面を越えて裏面に延びて押えられてもよい。これによってセルロース系シート６は粘着テープによって固定されると共に縁枠４によってさらに押えられてしっかりと固定される。この縁枠４の材質は限定され、木製、金属製などが挙げられるが、経済性、加工性、軽量性からアルミ製が好ましい。また、縁枠が板状基板と重なる部分は端から１０〜５０ｍｍが好ましい。
【００４０】
このようにセルロース系シートを貼った基板は、たとえば、図３に示すように、横長な枠部材７ａに、適数の縦方向または横方向の中部材７ｂ、７ｃを設けて形成されている格子状の枠体７の前面に、所望の間隔で釘打ち、接着剤、固定化部品などで固定される。
枠体７の後面には、枠体７における縦方向の中部材７ｃを利用して、脚柱８が取り付けられる。基板、枠体、脚柱を取り付ける順序は特に限定がない。
【００４１】
また、掲示板（１０）用基板の後方からの直射日光等により、枠体７における中部材７ｂ、７ｃ、あるいは後方の樹木等の陰影が、表面板に貼付した表示部分に投影され、見栄えが悪くなる場合がある。通常、クラフト紙を用いればこのようなことが防止できるが、さらに表面板に陰影が生ずることを防ぐための陰影防止手段を設けてもよい。陰影防止手段としては、たとえば、プラスチック製板状基板５またはセルロース系シート６を、黒色または、その他の暗色のものとするか、あるいは掲示板（１０）用基板の裏面に、黒色または、その他の暗色のシート状物を配設することにより形成することができる。
【００４２】
上記のようにして作成された掲示板１０に、表示物が貼られる。表示物は掲示板に掲示できるものであれば限定はないが、セルロース系シート６が貼られてあるので、でんぷん糊で接着できるものが好ましく適用できる。選挙ポスターは表示物の数が多くでんぷん糊で貼られるので特に好ましい。でんぷん糊はセルロース系シートとの密着性がよいので、掲示期間中屋外に置いても表示物が剥がれることがない。
【００４３】
掲示期間が終了すると、表示物は剥がされ掲示板が撤去されることになる。この際にまず縁枠をはずし、表示物は剥がさずにセルロース系シートを剥がす。セルロース系シートの下にある再剥離性両面粘着テープ９は、プラスチック製板状基板５に対する粘着力がセルロース系シート６に対する粘着力未満であるので、セルロース系シート６を剥がすと、粘着テープ９はセルロース系シート６に粘着しプラスチック製板状基板５には粘着テープ９またはその粘着剤は残らない。また、プラスチック製板状基板５は印刷もされていないので、プラスチック製板状基板５は元の状態に容易に復元できる。このようにして元の状態になったプラスチック製板状基板５は次の掲示板としてリサイクル使用できる。  
【００４４】
（実施例１）
プラスチック製板状基板として厚さ約９ｍｍの「ツインコーン  ＴＣ９−１２０８」（登録商標：ポリプロピレン樹脂製の中空層が中空突起体シートの熱融着物である三層構造の板、宇部日東化成社製）を９１０ｍｍ×１８２０ｍｍの大きさに切り取って準備し、その上に再剥離性両面粘着テープ「＃７６２」（恵比寿化成社製；アクリル系）を「ツインコーン  ＴＣ９−１２０８」に対する粘着力が下記クラフト紙に対する粘着力未満であるようにして片方を数箇所貼った。該粘着テープの上側の離型紙を剥がし、その上に注意事項、ポスター掲示、スケジュールなどの選挙情報が印刷してある上記基板と同じ大きさのクラフト紙（大和化工紙社製：紙厚７０ｇ／ｍ２）を貼り付けた。さらに該基板の全周囲にわたり端から  ｍｍの縁をクラフト紙と共にアルミ製の枠で固定した。このような掲示板を２箇所の脚柱を有する枠体に固定した。クラフト紙の上に選挙ポスターを貼って選挙ポスターを掲示し、掲示期間中に雨が２度降ったが１ケ月後に取り外した。掲示期間中選挙ポスターの剥がれも、クラフト紙の剥がれもなかった。掲示期間終了後、まず、アルミ枠をはずし、クラフト紙を剥がすと基板には粘着テープまたはその粘着剤も付着していなかった。該基板を枠体から取り外した。該基板は最初の基板に復元できリサイクル使用できることを確認した。
【００４５】
（比較例１）
実施例１において、クラフト紙を用いない以外は実施例１と同様にした掲示板を作成して選挙ポスターを掲示した。雨が１度降った後に選挙ポスターに剥がれが生じた。
【００４６】
（比較例２）
実施例１において、再剥離性両面粘着テープとして実施例１で用いた再剥離性両面粘着テープ「＃７６２」を逆にしてツインコーンに対する粘着力がクラフト紙に対する粘着力を超えるようにしてクラフト紙を貼った以外は、実施例１と同様にして選挙ポスターを掲示した。掲示期間終了後にクラフト紙を剥がしたところ、粘着テープは基板側に残り、粘着テープをさらに剥がしても粘着剤が残った。
【産業上の利用可能性】
【００４７】
本発明の掲示方法、掲示板は、表示物の掲示、特に屋外での表示物の掲示に好適に使用できる。
【符号の説明】
【００４８】
１  中空突起体シートが熱融着したプラスチック製板状基板
２  シート基材
２ａ、２ｂ  中空突起体シート
３ａ、３ｂ  熱可塑性樹脂製表面材
４  縁枠
５  板状基板
６  セルロース系シート
７  枠体
７ａ  枠部材
７ｂ、７ｃ  中部材
８  脚柱
９  粘着テープ
１０  掲示板
【図１】
2010281987.tif 000003
【図２】
2010281987.tif 000004
【図３】
2010281987.tif 000005